(57)【特許請求の範囲】
【請求項１】
お握りと、このお握りを覆うように取付けられた内包装フィルムと外包装フィルムとの間に海苔を収納した手巻きお握り用海苔包装袋とからなる手巻きお握りにおいて、前記手巻きお握り用海苔包装袋の外包装フィルムを中央包装フィルムと、この中央包装フィルムの両側部に配置される、該中央包装フィルムの材質とは異なる材質の両側包装フィルムと、この両側包装フィルムの前記中央包装フィルム側部位と中央包装フィルムの両側部位とを密封状態に貼り合わせる２本のテープとで構成したものを用いたことを特徴とする手巻きお握り。
【請求項２】
お握りと、このお握りを覆うように取付けられた内包装フィルムと外包装フィルムとの間に海苔を収納した手巻きお握り用海苔包装袋とからなる手巻きお握りにおいて、前記手巻きお握り用海苔包装袋の外包装フィルムを開封側端部につまみ部を形成した中央包装フィルムと、この中央包装フィルムのつまみ部を除く両側部に配置される、該中央包装フィルムの材質とは異なる材質の両側包装フィルムと、この両側包装フィルムの前記中央包装フィルム側部位と中央包装フィルムの両側部位とを密封状態に貼り合わせる２本のテープとで構成したものを用いるとともに、前記内包装フィルムの前記外包装フィルムの中央包装フィルムの両端部と対応する部位に開口部をシールする場合、該部位を中央包装フィルムだけでシールできる切り欠部を形成したものを用いたことを特徴とする手巻きお握り。
【請求項３】
お握りを覆うように取付けられた内包装フィルムと外包装フィルムとの間に海苔を収納した手巻きお握り用海苔包装袋において、前記外包装フィルムを中央包装フィルムと、この中央包装フィルムの両側部に配置される、該中央包装フィルムの材質とは異なる材質の両側包装フィルムと、この両側包装フィルムの前記中央包装フィルム側部位と中央包装フィルムの両側部位とを密封状態に貼り合わせる２本のテープとで構成したものを用いたことを特徴とする手巻きお握り用海苔包装袋。
【請求項４】
お握りを覆うように取付けられた内包装フィルムと外包装フィルムとの間に海苔を収納した手巻きお握り用海苔包装袋において、前記外包装フィルムを開封側端部につまみ部を形成した中央包装フィルムと、この中央包装フィルムのつまみ部を除く両側部に配置される、該中央包装フィルムの材質とは異なる材質の両側包装フィルムと、この両側包装フィルムの前記中央包装フィルム側部位と中央包装フィルムの両側部位とを密封状態に貼り合わせる２本のテープとで構成したものを用いるとともに、前記内包装フィルムの前記外包装フィルムの中央包装フィルムの両端部と対応する部位に開口部をシールする場合、該部位を中央包装フィルムだけでシールできる切り欠部を形成したものを用いたことを特徴とする手巻きお握り用海苔包装袋。
【発明の詳細な説明】
【技術分野】
【０００１】
本発明はスーパー、コンビニエンスストアー等で販売される手巻きお握りおよび、該手巻きお握りに使用される手巻きお握り用海苔包装袋に関する。
【背景技術】
【０００２】
従来の手巻きお握り用海苔包装袋は、上部につまみ部を有する帯状の開封フィルムをほぼ中央部に備える外包装フィルムと、中央部で重ね合わされるように配置される左右の内包装フィルムと、この左右の内包装フィルムと前記外包装フィルムとの間の端部を除く部位に収納された海苔と、この海苔の外周部の左右の内包装フィルムと外包装フィルムとを複数個の空気抜き孔ができるようにシールしたシール部とで構成されている。
【０００３】
このため、お握りを食する場合、外包装フィルムのほぼ中央部の開封フィルムを除去した後、外包装フィルムと左右の内包装フィルムとを左右方向へ引張って除去するが、この時、外包装フィルムの開口部は中央部の開封フィルムの幅寸法である小幅寸法であるため、外包装フィルムと内包装フィルムとで挟着される海苔の面積が大きく、海苔の両端部寄りの部位が引きちぎられてしまいやすいという欠点があった。
また、中央部に帯状の開封フィルムを貼着した１枚の外包装フィルムを用いているため、印刷やデザイン上に制約があるという欠点があった。
【特許文献１】特開２００４−３３１１８０
【発明の開示】
【発明が解決しようとする課題】
【０００４】
本発明は以上のような従来の欠点に鑑み、お握り用海苔包装袋を取り外す場合、外包装フィルムの中央部を容易に大きく除去して、収納されている海苔の両端部寄りの部位を引きちぎったりするのを効率よく防止して、容易に取り外すことができるとともに、外包装フィルムへの印刷やデザインを施すのを容易に行なうことができる手巻きお握りおよび手巻きお握り用海苔包装袋を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はお握りと、このお握りを覆うように取付けられた内包装フィルムと外包装フィルムとの間に海苔を収納した手巻きお握り用海苔包装袋とからなる手巻きお握りにおいて、前記手巻きお握り用海苔包装袋の外包装フィルムを中央包装フィルムと、この中央包装フィルムの両側部に配置される、該中央包装フィルムの材質とは異なる材質の両側包装フィルムと、この両側包装フィルムの前記中央包装フィルム側部位と中央包装フィルムの両側部位とを密封状態に貼り合わせる２本のテープとで手巻きお握りを構成している。
【０００７】
本発明はお握りを覆うように取付けられた内包装フィルムと外包装フィルムとの間に海苔を収納した手巻きお握り用海苔包装袋において、前記外包装フィルムを中央包装フィルムと、この中央包装フィルムの両側部に配置される、該中央包装フィルムの材質とは異なる材質の両側包装フィルムと、この両側包装フィルムの前記中央包装フィルム側部位と中央包装フィルムの両側部位とを密封状態に貼り合わせる２本のテープとで手巻きお握り用海苔包装袋を構成している。
【発明の効果】
【０００８】
以上の説明から明らかなように、本発明にあっては次に列挙する効果が得られる。
【０００９】
（１）お握りと、このお握りを覆うように取付けられた内包装フィルムと外包装フィルムとの間に海苔を収納した手巻きお握り用海苔包装袋とからなる手巻きお握りにおいて、前記手巻きお握り用海苔包装袋の外包装フィルムを中央包装フィルムと、この中央包装フィルムの両側部に配置される、該中央包装フィルムの材質とは異なる材質の両側包装フィルムと、この両側包装フィルムの前記中央包装フィルム側部位と中央包装フィルムの両側部位とを密封状態に貼り合わせる２本のテープとで構成されているので、お握りを食する場合、外包装フィルムの２本のテープで密封状態に貼り合わせられた中央包装フィルムを除去して、大きく開封することができる。
したがって、収納されている海苔の両端部に押し圧力が作用するのを軽減して、両端部が引きちぎられてしまうのを効率よく阻止することができる。
【００１０】
（２）前記（１）によって、外包装フィルムを材質の異なる中央包装フィルム、両側包装フィルムを２本のテープで貼り合わせているので、印刷やデザインを中央包装フィルムと両側包装フィルムの材質を選択して行なうことができる。
したがって、印刷やデザインの多様化を図ることができる。
【００１１】
（３）前記（１）によって、外包装フィルムを異なる材質のフィルムを貼り合わせているとともに、２本のテープが位置するので、従来の１本のテープのものと比べ、見ただけで識別を図ることができる。
【００１２】
（４）請求項２も前記（１）〜（３）と同様な効果が得られるとともに、開口部のシールの中央包装フィルム部位は中央包装フィルムだけでシールされているので、開封作業をさらに容易に行なうことができる。
【００１３】
（５）請求項３、４も前記（１）〜（３）と同様な効果が得られる。
【発明を実施するための最良の形態】
【００１４】
以下、図面に示す本発明を実施するための最良の形態により、本発明を詳細に説明する。
【００１５】
図１ないし図１２に示す本発明を実施するための最良の第１の形態において、１は本発明の手巻きお握りで、この手巻きお握り１は三角形状に形成されたお握り２と、このお握り２を覆うように取付けられた、内部に海苔３が収納された手巻きお握り用海苔包装袋４とで構成されている。
【００１６】
前記手巻きお握り用海苔包装袋４は図４ないし図８に示すように、長方形状の外包装フィルム５と、この外包装フィルム５に重ね合わされる内包装フィルム６と、この内包装フィルム６と前記外包装フィルム５との外周部を除く部位間に収納された海苔３と、この海苔３の外周部の前記内包装フィルム６と外包装フィルム５とを完全密封するようにリング状あるいはある程度の密封ができるように帯点状でシールするシール部７と、このシール部７の内の両端部のシール部７ａ、７ａ近傍で折り曲げ、前記内包装フィルム６と前記外包装フィルム５を袋状となるように両端部をシールする端部シール部８、８とで構成されている。
【００１７】
前記外包装フィルム５は図８に示すように、帯状に形成された開封側端部につまみ部９を形成したラミネート紙、防湿紙等を用いた中央包装フィルム１０と、この中央包装フィルム１０のつまみ部９を除く両側部に突き合わせた状態で配置された、該中央包装フィルム１０と異なる材質である合成樹脂フィルム等の帯状の両側包装フィルム１１、１１と、この両側包装フィルム１１、１１の前記中央包装フィルム１０側部位の外側面と中央包装フィルム１０の両側部位の外側面とを密封状態に貼り合わせる２本のテープ１２、１２とで構成されている。
【００１８】
前記内包装フィルム６は図８に示すように、帯状に形成された左右の内包装フィルム１３、１３と、この左右の内包装フィルム１３、１３の一方の端部を重ね合わせ、該重ね合わせ部位１４に多数個の微小な孔１５を形成するとともに、線状、点状、帯状あるいは帯点状、本発明を実施する形態では点状にシール１６した弱い密封手段１７を設け、かつ前記外包装フィルム５の中央包装フィルム１０の両端部と対応する部位に切り欠部２２、２２を形成し、前記重ね合わせ部位１４を折り曲げて重ねて構成されている。
【００１９】
このように構成された手巻きお握り用海苔包装袋４は図４ないし図６に示すように、袋状に形成された手巻きお握り用海苔包装袋４内にお握り２を収納し、図９に示すように開口端部を重ね合わせて、該重ね合わせ部１８を線状に開口部シール１９をして密封する。
この時、開口部シール１９は、外包装フィルム５の中央包装フィルム１０は内包装フィルム６の切り欠部２２、２２によって直接シールされるため、開封時に内包装フィルム６が中央包装フィルム１０に付着することがない。
前述のように開口部シール１９を行なった状態でもよいが、図２および図３に示すように開口端部を折り曲げてラベル２０を貼着したり、図１２に示すように開口端部の両端部を三角状に折り曲げて、ほぼ三角形状となるようにしてラベル２０を貼着してもよい。
【００２０】
このように構成された手巻きお握り１は、食する場合には図１０に示すように
外包装フィルム５の中央包装フィルム１０のつまみ部９を持って外側下方へ引張ると、２本のテープ１２、１２部位より中央包装フィルム１０が内包装フィルム６を引張ることなく外れ、大きく開口する。
しかる後、図１１に示すように外包装フィルム５の一端部を持って左右方向に引張るとともに、他端部を持って左右方向に引張ることにより、海苔３の両端部を損傷することなく左右に残された外包装フィルム５の両側包装フィルム１１、１１および内包装フィルム６の左右の内包装フィルム１３、１３が弱い密封手段１７より離れて、左右方向へ移動して容易に除去することができる。
[発明を実施するための異なる形態]
【００２１】
次に、図１３ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１３ないし図１８に示す本発明を実施するための第２の形態において、前記本発明を実施するための最良の第１の形態と主に異なる点は、重ね合わせ部位１４に千鳥足状の点溶着２１で溶着した弱い密封手段１７Ａを設けるとともに、外包装フィルム５の中央包装フィルム１０の両端部と対応する部位を切り欠部２２、２２を形成した内包装フィルム６Ａを使用した手巻きお握り用海苔包装袋４Ａを用いた点で、このような手巻きお握り用海苔包装袋４Ａを用いた手巻きお握り１Ａにしても、前記本発明を実施するための最良の第１の形態と同様な作用効果が得られるとともに、開封時に開口端部の線状の開口部シール１９が外包装フィルム５の中央包装フィルム１０部位では内包装フィルム６Ａが切り欠部２２、２２によってシールされていないため、容易にシールを剥がして開封することができる。
【００２３】
図１９ないし図２３に示す本発明を実施するための第３の形態において、前記本発明を実施するための最良の第１の形態と主に異なる点は、２本のテープ１２、１２を内側面に設けた外包装フィルム５Ａと、左右の内包装フィルム１３、１３の一端部を重ね合わせ、該重ね合わせ部位１４Ａを千鳥足状に点溶着２１して弱い密封手段１７Ｂを設けた内包装フィルム６Ｂを使用した手巻きお握り用海苔包装袋４Ｂを用いた点で、このような手巻きお握り用海苔包装袋４Ｂを用いた手巻きお握り１Ｂにしても、前記本発明を実施するための最良の第１の形態と同様な作用効果が得られる。
【００２４】
なお、前記本発明を実施するための各形態では開封時に中央包装フィルム１０が２本のテープ１２、１２の接着面より剥がれて両側包装フィルム１１、１１と離れるものについて説明したが、本発明はこれに限らず、２本のテープ１２、１２の外側端部より両側包装フィルム１１、１１が裂けるように２本のテープ１２、１２の開封側外側端部に位置する両側包装フィルム１１、１１に開封用の切り欠部を形成してもよい。
さらに内包装フィルム６、６Ａ、６Ｂに弱い密封手段１７、１７Ａ、１７Ｂを用いるものについて説明したが、本発明はこれに限らず、中央部で単に重ね合わせただけのものを用いてもよい、また、切り欠部２２、２２を形成しない内包装フィルム６、６Ａ、６Ｂを用いても良い。
さらに、外包装フィルム５の中央包装フィルム１０につまみ部９を形成したものを用いたが、本発明はこれに限らず、つまみ部のない中央包装フィルムを用いてもよい。
【産業上の利用可能性】
【００２５】
本発明は手巻きお握りおよび手巻きお握り用海苔包装袋を製造する産業で利用される。
【図面の簡単な説明】
【００２６】
【図１】本発明を実施するための最良の第１の形態の平面図。
【図２】本発明を実施するための最良の第１の形態の側面図。
【図３】本発明を実施するための最良の第１の形態の背面図。
【図４】本発明を実施するための最良の第１の形態の手巻きお握り用海苔包装袋の平面図。
【図５】本発明を実施するための最良の第１の形態の手巻きお握り用海苔包装袋の底面図。
【図６】図４の６−６線に沿う断面図。
【図７】本発明を実施するための最良の第１の形態の手巻きお握り用海苔包装袋の展開図。
【図８】本発明を実施するための最良の第１の形態の手巻きお握り用海苔包装袋の展開分解図。
【図９】本発明を実施するための最良の第１の形態の開口端部のシールの説明図。
【図１０】本発明を実施するための最良の第１の形態の開封状態の説明図。
【図１１】本発明を実施するための最良の第１の形態の手巻きお握り用海苔包装袋を外す状態の説明図。
【図１２】本発明を実施するための最良の第１の形態の異なる収納状態の説明図。
【図１３】本発明を実施するための第２の形態の正面図。
【図１４】本発明を実施するための第２の形態の手巻きお握り用海苔包装袋の展開図。
【図１５】本発明を実施するための第２の形態の手巻きお握り用海苔包装袋の展開分解図
【図１６】本発明を実施するための第２の形態の手巻きお握り用海苔包装袋の斜視図。
【図１７】本発明を実施するための第２の形態の開口端部のシールの説明図。
【図１８】本発明を実施するための第２の形態の開封時の内包装フィルムの状態を示す説明図。
【図１９】本発明を実施するための第３の形態の正面図。
【図２０】本発明を実施するための第３の形態の手巻きお握り用海苔包装袋の展開図。
【図２１】本発明を実施するための第３の形態の手巻きお握り用海苔包装袋の展開分解図
【図２２】本発明を実施するための第３の形態の手巻きお握り用海苔包装袋の斜視図。
【図２３】本発明を実施するための第３の形態の開封時の内包装フィルムの状態を示す説明図。
【符号の説明】
【００２７】
１、１Ａ、１Ｂ：手巻きお握り、  
２：お握り、                  ３：海苔、
４、４Ａ、４Ｂ：手巻きお握り用海苔包装袋、
５：外包装フィルム、          ６、６Ａ、６Ｂ：内包装フィルム、
７：シール部、                ８：端部シール部、
９：つまみ部、                １０：中央包装フィルム、
１１：両側包装フィルム、      １２：テープ、
１３：左右の包装フィルム、    １４、１４Ａ：重ね合わせ部位、
１５：微小な孔、              １６：シール、
１７、１７Ａ、１７Ｂ：弱い密封手段、
１８：重ね合わせ部位、        １９：開口部シール、
２０：ラベル、                ２１：点溶着、
２２：切り欠部。
【図１】
0004842679.tif 000002
【図２】
0004842679.tif 000003
【図３】
0004842679.tif 000004
【図４】
0004842679.tif 000005
【図５】
0004842679.tif 000006
【図６】
0004842679.tif 000007
【図７】
0004842679.tif 000008
【図８】
0004842679.tif 000009
【図９】
0004842679.tif 000010
【図１０】
0004842679.tif 000011
【図１１】
0004842679.tif 000012
【図１２】
0004842679.tif 000013
【図１３】
0004842679.tif 000014
【図１４】
0004842679.tif 000015
【図１５】
0004842679.tif 000016
【図１６】
0004842679.tif 000017
【図１７】
0004842679.tif 000018
【図１８】
0004842679.tif 000019
【図１９】
0004842679.tif 000020
【図２０】
0004842679.tif 000021
【図２１】
0004842679.tif 000022
【図２２】
0004842679.tif 000023
【図２３】
0004842679.tif 000024